(57)【要約】【課題】引き違いサッシについて、通気性を確保しながら一定の防犯性を持たせる。【解決手段】内障子１１の枠を構成する左右の框１１ｃ，１１ｄの間に渡した中桟１３を有し、中桟１３の上又は下に突き出し窓１４を設ける。【選択図】図２
2019167737.tif 000002
【特許請求の範囲】
【請求項１】
外障子と、内障子とを備えた引き違いサッシであり、
上記内障子の枠を構成する左右の框の間に渡した中桟を有し、
上記中桟の上側又は下側に屋外側へ突き出し可能な突き出し窓を設けた引き違いサッシ。
【請求項２】
請求項１に記載の引き違いサッシであって、
上記突き出し窓を電磁的に施錠する電磁ロックと、前記突き出し窓を開放するように付勢する付勢装置とを有し、
所定の条件が満たされたときに前記電磁ロックを解錠することで、前記付勢装置によって上記突出し窓が自動的に開放される自動開放突出し窓を備えた引き違いサッシ。
【発明の詳細な説明】
【技術分野】
【０００１】
この発明は、防犯機能と通風性を拡張した引き違いサッシに関する。
【背景技術】
【０００２】
家屋で一般にベランダに向かう大窓などには、複数枚のサッシにガラスの障子を気密材にて取り付け、個々のサッシを引き違いにスライドできるように取り付けた形態が多く使用されている。このような引き違い窓や引き違い戸である引き違いサッシの外側には網戸を取り付けることが多い。風を通したい場合には、引き違いサッシの開放した箇所に網戸を配置して害虫の侵入を防ぎながら開放させるのが一般的である。
【０００３】
ただし、このような引き違いサッシで風を通そうとしたときには、当然ながら引き違いサッシの施錠装置を解除しなければ開放できない。このため、防犯上などの理由から容易に引き違いサッシを開けることができない場合があった。また、雨の日に全面開放してしまうと風とともに雨粒まで室内に入り込んでしまう場合もあった。
【０００４】
これに対して、特許文献１のような形態の引き違い窓が提案されている。一方のサッシの下方に中桟を渡し、その中桟より下は別の障子取付枠となっており、その下框がサッシ下部に対して揺動可能に取り付けられる。これにより、引き違いサッシ自体の施錠装置を閉鎖したまま、中桟より下の部分を内倒し窓として独立して開放させることができる。中桟より下の高さを小さくすれば人間は通過できず防犯性を確保でき、内倒し窓であるからよほどの強風下でもない限り雨粒が室内に入ってくることもない。
【先行技術文献】
【特許文献】
【０００５】
【特許文献１】特開2003-90181号公報
【発明の概要】
【発明が解決しようとする課題】
【０００６】
しかしながら、特許文献１の構造では内倒し窓を開けていても、全体の構成である引き違い窓について施錠装置を掛けておかなければ、内障子と外障子とを自在に動かせるため、施錠していないまま、内倒し窓を開けておくいわば開放状態に置いておくと、引き違い窓自体を開放されて侵入されるおそれがあった。
【０００７】
また、内倒し窓であっても、下方に位置して大きく開かれる場合は、風向き次第では雨水が隙間から入る可能性がそれなりにあった。
【０００８】
そこでこの発明は、引き違いサッシについて通気性を確保しながら、意識的な施錠を行わなくても一定の防犯性を確保できる構造を提供することを目的とする。
【課題を解決するための手段】
【０００９】
この発明は、引き違いサッシの内障子の枠を構成する左右の框の間に中桟を有し、上記中桟の上側又は下側に屋外側へ突き出し可能な突き出し窓を設けることで、上記の課題を解決したのである。
【００１０】
内障子の一部が屋外側へ突き出ることで、その突き出し窓が開放されている間は、突き出し窓がストッパの役割を果たし、引き違いサッシとしては開放できなくなる。これにより、引き違いサッシ自体の施錠装置を閉め忘れていたとしても、突き出し窓を内障子に格納しなければ引き違いサッシを開放することができず、侵入しようとする者が即座に侵入を果たすことはできない。これにより、施錠装置がかかっていなくても一定の防犯性を確保することができる。
【００１１】
また、突き出し窓の設置位置を中桟の上側とする構成にする場合、上記中桟を中央より上の位置で渡した構成とすることができる。中桟をサッシの中央より上に配置させることで、その上に乗る突き出し窓の重量を少なくし、左右の框の間に渡した中桟でその重量を支えやすくなり、サッシ設計の自由度が向上する。
【００１２】
これにより、既存のサッシに対しても中桟を含む突き出し窓をアタッチメントとして取り付けても、安定した構造となる。また、突き出し窓が窓や戸の上方に位置することで、風が入ってきても雨粒が入ってくる可能性をほとんどゼロにすることができる。
【００１３】
既存の引き違いサッシの内障子が、上下左右の框に、樹脂材を介してガラス板を固定可能である硝子押さえ部を有する一般的な構造である場合、次のような構造で本件発明を実現できる。突き出し窓は、固定される外枠と、ガラス板を保持して室内側に倒される内枠と、これら外枠と内枠との間を繋ぐアームとを有する一般的なものであり、この上記外枠のうち左右と上方の外枠は上記内障子の硝子押さえ部に嵌め込まれ、上記中桟が下方の外枠であり、上記中桟の下方面には、上記内障子の下方側の硝子押さえ部と相対して、上記中桟より下側の面をカバーするガラス板を固定可能な、中桟硝子押さえ部を有するようにする。
【００１４】
このように既存の引き違いサッシにも取り付けられる突き出し窓の開閉を実現する形態としては、上記内枠の左右の框に設けたアームや、上記内枠の下框に設けた突き出し棒などで開放状態にある突き出し窓を支え、閉めるときはこれらの支えを外すことで実現できる。
【発明の効果】
【００１５】
この発明により、内障子と外障子を閉めたまま、突き出し窓だけを開放して通気性を確保することができる一方で、施錠されていない状態でも、即座に引き違いサッシを開放させることはできず、突き出し窓を内障子に格納しない限り開放させることができない、一時的な防犯性も発揮させることができる。
【００１６】
また、突き出し窓は外側に突き出るため、内倒し窓を使う場合に比べて、雨水が室内に侵入する可能性をほとんど無くすることができる。
【図面の簡単な説明】
【００１７】
【図１】この発明にかかる引き違いサッシの実施形態例の室外側からの概略外観図
【図２】引き違いサッシの内障子に組み込んだ突き出し窓を開放した状態の室外側から見た斜視図
【図３】この発明にかかる引き違いサッシを開放して内障子と外障子とを重ねた際の垂直断面図
【図４】この発明にかかる引き違いサッシを閉鎖した状態の突き出し窓部分を含む水平断面図
【図５】この発明にかかる引き違いサッシの電磁ロックを備えた実施形態の概略外観図
【図６】図５の電磁ロック付近の拡大垂直断面図
【発明を実施するための形態】
【００１８】
以下、この発明の実施形態を説明する。この発明は、内障子に渡した中桟の上又は下に突き出し窓を設けた引き違いサッシである。その具体的な実施形態例について、図を用いて説明する。ここでは仮に中桟の下側に突き出し窓を組み込んだ形状を説明するが、中桟で支えられるのであれば中桟の上側に突き出し窓を組み込んでもよい。
【００１９】
図１はこの発明の実施形態にかかる引き違いサッシ１０を屋外側正面から見た外観図である。図２は引き違いサッシ１０の内障子１１に取り付けられた突き出し窓１４が開放された状態での斜視図である。図３は引き違いサッシ１０の内障子１１と外障子１２とを重ねている際の垂直断面図である。図４は引き違いサッシ１０の図２のｂ−ｂ水平断面図である。
【００２０】
内障子１１と外障子１２はサッシ枠１に対して引き違いとなるように装着されている。この実施形態では内障子１１と外障子１２はそれぞれ一枚ずつで構成されているが、それぞれ二枚ずつで構成される実施形態でもよい。サッシ枠１は、内障子１１及び外障子１２の移動をガイドするレール２を有する上枠１ａ及び下枠１ｂと、内障子１１と外障子１２とが突き当たる左右の縦枠１ｃ、１ｃとで矩形状に構成されている。
【００２１】
内障子１１は上框１１ａと下框１１ｂと召合框１１ｃと戸先框１１ｄとを矩形状に連結している。内障子１１の枠内上方部には、上框１１ａに接して、左右の框である召合框１１ｃと戸先框１１ｄとの間に渡る中桟１３を設けてあり、この中桟１３より上は大窓ガラス１９を嵌めてある。一方、中桟１３より下には突き出し窓１４を設けてある。突き出し窓１４は、内障子１１に対して固定される外枠１５に対して、小窓ガラス１８を備えた内枠１６を回動可能に取り付けてあり、内枠１６を室外側に回動させて傾斜させることで、内障子１１及び外障子１２の引き違いの配置とは独立して開閉可能である。
【００２２】
突き出し窓１４の外枠１５と内枠１６とはいずれも矩形状である。突き出し窓１４の外枠１５の上枠１５ａは、内障子１１の召合框１１ｃと戸先框１１ｄとの間を渡し大窓ガラス１９を上から固定する中桟１３に対して、接しているか、又は中桟１３と一体化している。この実施形態では中桟１３が外枠１５の上側である上枠１５ａと一体化している例を示す。またこの例では、外枠１５の下側である下枠１５ｂと下框１１ｂとが一体化しており、外枠１５の左右である縦枠１５ｃ，１５ｄは召合框１１ｃ、戸先框１１ｄと一体化している。
【００２３】
内障子１１の中ほどに渡された中桟１３（外枠１５の上枠１５ａ）より上方に取り付けられた大窓ガラス１９は、内障子１１の上框１１ａと、召合框１１ｃと戸先框１１ｄと、中桟１３とに囲まれており、これらの内側の開口部に向いて延ばされた硝子押さえ部２８に嵌め込まれて、樹脂材２９で固定される。
【００２４】
それぞれの框１１ａ〜ｄと、突き出し窓１４の外枠１５及び内枠１６部分を拡大した垂直断面図を図３に、水平断面図を図４に示す。内障子１１及び外障子１２の上下左右の框（１１ａ〜１１ｄ、１２ａ〜１２ｄ）には、障子中央側へ向かって延ばされた２枚の突出板４１ａ，４１ａが設けてある。この突出板４１ａ，４１ａの先端は、互いの間隔を狭めるように折り返されて硝子押さえ部４１ｃ，４１ｃを形成している。この硝子押さえ部４１ｃ，４１ｃの間に樹脂材４２を導入し、この樹脂材４２を介してガラス板を固定可能な構造となっている。外障子１２では、図３に示すように、硝子押さえ部４１ｃ、４１ｃの間に外障子１２の開口部の中桟１７を挟んだ上下を覆うガラス板である大窓ガラス１９を挟んで固定している。
【００２５】
一方、内障子１１では、中桟１３より上側には、外障子１２と同様の構造で大窓ガラス１９を取り付けてある。中桟１３より下側には、中桟１３と、下框１１ｂと、召合框１１ｃ及び戸先框１１ｄの下方部分とにおいて、室内側で中央に向かって張り出した外枠１５（１５ａ〜１５ｄ）を有している。いずれも、内枠１６と一箇所又は二箇所で接しており、それぞれの接する部位には室外側に向いて設けられた戸当部２０が設けてあり、内枠１６は室外側からスイングしてこれに接する。図３では下側の下枠１５ｂのみ一箇所で内枠１６の下枠１６ｂと接しているが、二箇所で接している構造としてもよい。
【００２６】
内枠１６は外縁の左右幅が外枠１５の内縁の左右幅よりも大きく、内枠１６が外枠１５に取り付けられると密閉が可能である。また、内枠１６の上枠１６ａの先端には引っ掛けることができるように先端が鈎状に折り曲げられた鈎状部２１が設けられている。折り曲げられた鈎状部２１の内側は周面を有している。この鈎状部２１と相対するように、外枠１５の上枠１５ａの室外側には、周面を有する受軸部２２が設けてある。この受軸部２２を回動軸として、引っ掛かった鈎状部２１が途中まで回転するとともに、突き出し窓１４の内枠１６全体が室外側へ開放される。その様子を図中破線で示す。
【００２７】
突き出し窓１４を開放している状態では、突き出し窓１４自体が引き違いサッシ１０の開放に対するストッパとして作用する。これにより、突き出し窓１４だけを人の手が入らない程度に開放しておくことで、防犯性を確保しながら通気性も確保した開放状態を維持できる。
【００２８】
なお、図示しないが、この発明で突き出し窓１４である部分開放状態で維持する方法は、一般の突き出し窓１４を単独で用いる場合に開放状態で維持するために用いるアームやストッパなど、既知の機構を用いることができる。
【００２９】
また、内枠１６のさらに内周側には、内障子１１及び外障子１２と同様に、ガラス板（小窓ガラス１８）を挟んで固定できるように幅を狭めた硝子押さえ部２８が設けてある。この硝子押さえ部２８に挿入した小窓ガラス１８を、樹脂材２９を詰めることで固定してある。
【００３０】
また、突き出し窓１４の内枠１６の下枠１６ｂと外枠１５の下枠１５ｂとの間を繋ぐリンケージロック２３を設けて、突き出し窓１４の開閉を可能にしつつ、過度に開くことを防止できるようにしておくことが望ましい。開放状態で置いておくことが想定されるため、小動物などが侵入しない程度に開放幅を抑制できると望ましいためである。このような開閉を可能にしつつ、過度の開放を抑制できる機構であればリンケージロックに限らず採用できるが、内障子に取り付ける構成上、リンケージロックが取り扱い易い。
【００３１】
さらに、図示しないが、外枠１５の下枠１５ｂと内枠１６の下枠１６ｂとの間に、施錠装置を設けておくとよい。施錠装置の構造としては一般的な突き出し窓に用いるものを採用することができる。
【００３２】
さらに別の実施形態を図５及び図６に示す。突出し窓１４の内枠１６の下枠１６ｂと、外枠１５の下枠１５ｂとのそれぞれに、リンケージロック２３の代わりに電磁ロック２４ａ、２４ｂを設ける。形態は特に限定されないが、例えば電磁ロック２４ａを永久磁石とし、電磁ロック２４ｂに電磁石を設ける。電気信号からの入力に応じて、電磁ロック２４ｂの磁力を解除して、ロックを解錠可能とする。
【００３３】
電磁ロックにより解錠するこの実施形態では、合わせて、電磁ロックが解錠されたら自動的に突き出し窓１４を開放させる付勢装置を取り付けておくと、遠隔操作や自動操作によって突出し窓１４を開放することができるのでより望ましい。図５に示す付勢装置の実施形態では、外枠１５の縦枠１５ｃ，ｄに突出装置２５を取り付け、突出装置２５が内部に有する弾性体によって突き出す突出棒の先端を内枠１６の縦枠１６ｃ、１６ｄに取り付ける。この突き出す力は電磁ロック２４ａ，２４ｂの固定する力よりも弱く、電磁ロックが施錠された状態では突き出し窓１４は開放されない。また、一旦開放した後、手作業で突出し窓１４を引き込んで施錠することで元の状態に戻すことができる。
【００３４】
電磁ロック２４ａ，２４ｂを解錠させる条件としては、例えば、一日のうちの特定の時間になったら解錠するタイマー設定や、室内に設けた温度センサで得られた室温が閾値を超えた段階で解錠する気温調整などが挙げられる。これらに限らず、所定の条件をみたしたときに電磁ロック２４ａ，２４ｂを解錠させて、突き出し窓１４を自動的に開放できるようにすると望ましい。
【００３５】
また、引き違いサッシ１０の開放状態を検知して、引き違いサッシ１０自体が開放されている状態では、解錠しないようにすると、無駄な施錠の手間が省けるのでより望ましい。さらに、電磁ロック２４ａ，２４ｂを家庭用ルータに繋げてインターネット経由での遠隔操作の指示を受け付けた際に上記の所定の条件を満たして解錠可能とすることにより、居住者が遠隔地から自動的に突き出し窓１４を開放できるようにしてもよい。
【００３６】
この発明にかかる引き違いサッシ１０は突き出し窓１４が開放されていると突き出し窓１４がストッパとなって開放できなくなる。このため、遠隔地からの指示により自動的に開放させても、その建物に人がいない状態で所定の条件を満たすことによって自動的に開放させた場合でも、一定の防犯性を維持しつつ風通しを可能とすることができる。
【符号の説明】
【００３７】
１  サッシ枠
１ａ  上枠
１ｂ  下枠
１ｃ，１ｄ  縦枠
２  レール
１０  引き違いサッシ
１１  内障子
１１ａ  上框
１１ｂ  下框
１１ｃ  召合框
１１ｄ  戸先框
１２  外障子
１２ａ  上框
１２ｂ  下框
１２ｃ  召合框
１２ｄ  戸先框
１３  中桟
１４  突き出し窓
１５  外枠
１５ａ  上枠
１５ｂ  下枠
１５ｃ，１５ｄ  縦枠
１６  内枠
１６ａ  上枠
１６ｂ  下枠
１６ｃ，１６ｄ  縦枠
１７  中桟
１８  小窓ガラス
１９  大窓ガラス
２０  戸当部
２１  鈎状部
２２  受軸部
２３  リンケージロック
２４ａ，２４ｂ  電磁ロック
２５  突出装置
２８  硝子押さえ部
２９  樹脂材
４１ａ  突出板
４１ｃ  硝子押さえ部
４２  樹脂材
【図１】
2019167737.tif 000003
【図２】
2019167737.tif 000004
【図３】
2019167737.tif 000005
【図４】
2019167737.tif 000006
【図５】
2019167737.tif 000007
【図６】
2019167737.tif 000008